(57)【要約】      （修正有）【課題】ガラス扉の不正解錠を確実に防止するため、ガラス扉と内枠を確実に施錠し、不正行為を防ぐことができる遊技機用施錠装置を提供する。【解決手段】内枠１２の裏側からラッチ３のついたシリンダー錠８を取り付け、鍵を挿入し回転させることでラッチ部分が動き、ガラス扉１３の内側に取り付けた係止板２と嵌合することで、ガラス扉と内枠を施錠する。【選択図】図３
0003131366.tif 000002
【実用新案登録請求の範囲】
【請求項１】
遊技機のガラス扉と内枠とを施錠するために、前記内枠の上下部に作動可能に取付けられる上下の鉤片と、これら上下の鉤片に連結されかつ前記内枠に対して摺動可能に取付けられるレールとを有し、前記内枠に取付けられたシリンダー錠に差込んだ鍵を回すことによって前記レールが摺動し、前記上下の鉤片が作動する遊技機用施錠装置において、ガラス扉の不正開放を防止するための機構として、ラッチを有したシリンダー錠と前記ガラス扉に取付けられるラッチ用係止板とを有し、前記ラッチには、前記ガラス扉を前記内枠に対して閉じたときに前記ラッチ用係止板と嵌合することを特徴とする遊技機用施錠装置。
【請求項２】
遊技機のガラス扉と内枠とを施錠するために、前記内枠の上下部に作動可能に取付けられる上下の鉤片と、これら上下の鉤片に連結されかつ前記内枠に対して摺動可能に取付けられるレールとを有し、前記内枠に取付けられたシリンダー錠に差込んだ鍵を回すことによって前記レールが摺動し、前記上下の鉤片が作動する遊技機用施錠装置において、
ガラス扉の不正開放を防止するための機構として、ラッチを有したシリンダー錠と前記ガラス扉に取付けられ、中央部にラッチ差込口があるラッチ用係止板とを有し、前記ガラス扉を前記内枠に対して閉じたときに、前記ラッチ用係止板の中央部にある差込口にラッチが嵌合することを特徴とする遊技機用施錠装置。
【請求項３】
遊技機のガラス扉と内枠とを施錠するために、前記内枠の上下部に作動可能に取付けられる上下の鉤片と、これら上下の鉤片に連結されかつ前記内枠に対して摺動可能に取付けられるレールとを有し、前記内枠に取付けられたシリンダー錠に差込んだ鍵を回すことによって前記レールが摺動し、前記上下の鉤片が作動する遊技機用施錠装置において、
ガラス扉の不正開放を防止するための機構として、シリンダー錠裏側がラッチ形状になったシリンダー錠と、このラッチ形状及びシリンダー錠に嵌合するラッチ用係止板状のシリンダー錠とを有し、前記ガラス扉を前記内枠に対して閉じたときに一方のシリンダー錠のラッチ形状ともう一方のシリンダー錠のラッチ用係止板状とが嵌合し施錠することを特徴とする遊技機用施錠装置。
【考案の詳細な説明】
【技術分野】
【０００１】  本発明は、外枠と、外枠の一側に開閉自在に取り付けられる内枠及びガラス扉を備えたパチンコ遊技機の施錠装置に関するものである。
【背景技術】
【０００２】  従来のパチンコ遊技機の施錠装置は、外枠とその外枠前面に開閉可能に支持される内枠及び内枠前面に開閉可能に支持されるガラス扉とを施錠する装置として知られている。具体的に施錠装置は、上下一対の鉤片およびその係止板、レール、シリンダー錠を備えたものが一般的である。鉤片は支点を軸として回動することにより、ガラス扉に取り付けられている係止板と係止および離脱する。レールは上下方向往復運動が可能とされ、レールの両端に各鉤片が付設されている。シリンダー錠はガラス扉前面に設置され、解錠の際、鍵を挿入し回転操作される。シリンダー錠に付設した錠板は鍵の回転運動をレールを通じて各鉤片へ伝え、内枠の施錠を解錠する。
従来の技術では、ガラス扉と内枠の施錠が確実なものではなく、保守点検の際の閉め忘れや不完全な施錠、また針金などを挿入し鉤片を動かすことによりガラス扉を不正に開放し、遊技機の釘を広げ入賞しやすくするなどの不正行為を防ぐことができなかった。
係る問題に対処する施錠装置として、下記の特許文献に記載の装置が知られている。
【特許文献２】特開２０００−２８８２１４号公報
【考案の開示】
【考案が解決しようとする課題】
【０００３】  本考案は、このようなガラス扉の不正解錠を確実に防止するため、ガラス扉と内枠を確実に施錠し、不正行為を防ぐことができる遊技機用施錠装置を提供することを課題とする。
【課題を解決するための手段】
【０００４】  内枠の裏側からラッチのついたシリンダー錠を取り付け、鍵を挿入し回転させることでラッチ部分が動き、ガラス扉の内側に取り付けた係止板と嵌合することで、ガラス扉と内枠を施錠する。
【考案を実施するための最良の形態】
【０００５】  図１は、本考案に係るパチンコ遊技機の第１実施例が示されている。
図１に示されるように、パチンコ遊技機１０は、遊技島に固定される外枠１１と、外枠１１に対して回動可能に取付けられる内枠１２とガラス扉１３、内枠１２を外枠１１に対して施錠し、ガラス扉を内枠１２に対し施錠する施錠装置１とを有している。
外枠１１は、長方枠状であって上下左右の枠部材を有している。左右の枠部材の一方の枠部材の上部と下部には、ヒンジが取付けられている。
内枠１２は、板状であり、その左右一端寄りの上端部と下端部は、ヒンジを介して外枠１１に取付けられている。したがって内枠１２はヒンジを回動中心に外枠１１に対して回動する。【０００６】  施錠装置１は、図２、図３に示すように内枠１２を外枠１１に対して施錠し、ガラス扉１３を前枠１２に対して施錠する装置であって、レール５ａ、５ｂ、鉤片６ａ、６ｂ、錠板４、シリンダー錠８を有している。また施錠装置１は、不正行為防止用の機構としてラッチ３とラッチ用係止板２をも有している。
施錠装置１を内枠１２の裏面から固定用ビス１ａ、１ｂを使用して固定する。【０００７】  上下の鉤片６ａ、６ｂは、図２に示すようにレール５ａの上部と下部のそれぞれに傾動可能に取付けられている。６ａ、６ｂは、それぞれ鉤状であって、ガラス扉１３の上部と下部に設けられた上下の７ａ、７ｂに対して掛止する構成になっている。
レール５ａは、図３に示すように支持板部５ｃに摺動可能に取付けられており、支持板部５ｃの内側面（左側面）に沿って上下方向に摺動する。レール５ａの上下部には、それぞれ上下の６ａ、６ｂが傾動可能に連結されている。したがってレール５ａを上下動させることで、上下の６ａ、６ｂを傾動させることができる。【０００８】  内枠１２の鉤片６ａ、６ｂの裏側には、図３に示すように鉤片１４ａ、１４ｂが傾動可能に取付けられている。１４ａ、１４ｂは、それぞれ鉤状であって、外枠１１の上部と下部に設けられた上下の１５ａ、１５ｂに対して掛止する構成になっている。
図３に示すようにレール５ｂの上下部には、それぞれ上下の１４ａ、１４ｂが傾動可能に連結されている。したがってレール５ｂを上下動させることで、上下の１４ａ、１４ｂを傾動させ、１５ａ、１５ｂと掛止させ、外枠１１と内枠１２を施錠する。【０００９】  シリンダー錠８は、図１に示すように内枠１２に取付けられている。そしてシリンダー錠８は、内枠１２に設けられた貫通穴に挿通された状態にて外枠１１に保持されている。
シリンダー錠８は、図２に示すように筒体８０と鍵穴８３を備えている。鍵穴８３に鍵８５を差込み、鍵８５を回転させた時にのみ筒体８０に対して回転する。【００１０】  鍵穴８３に鍵８５を差込み、鍵８５を一方向に回転させた時にガラス扉１３は内枠１２から開放され、鍵８５を反対方向に回転させた時に内枠１２は外枠１１から開放される。
シリンダー錠８の回転に伴い、錠板４が連動し、レール５ａにその連動を伝えることにより、上下の鉤片６ａ、６ｂが動く。【００１１】  ラッチ３は、図１、２に示すように棒状の軸部を有し、シリンダー錠８と一体になっている。詳しくは、ヒンジが取付けられていない左右一方の枠部材における縦方向略中央位置に取付けられる。【００１２】  ラッチ用係止板２は、図２に示すように、ラッチ３と嵌合する部分２２を有し、ラッチ３が嵌合される構成になっている。ラッチ用係止板２は、ガラス扉１３の裏面に固定用ビスを使用して固定する。【００１３】  以下に、施錠装置１を施錠状態にする方法について説明する。
まず、ガラス扉１３を開いた状態から閉じた状態に向けて内枠１２に対して回動させる（図１参照）。これにより上下の鉤片６ａ、６ｂが係止板７ａ、７ｂに当接し（図２参照）、上方に傾動し、係止板７ａ、７ｂに掛止する。さらに鍵穴８３に差し込んだ鍵を回動させることにより、ラッチ３が回動し、ラッチ用係止板２と嵌合することにより施錠される。【００１４】  この状態にてガラス扉１３を内枠１２に対して開放させようとレール５ａや錠板４を動かしても、図９に示すようにラッチ用係止板２とラッチ３とが嵌合しており、解除不能である。ラッチ３とラッチ用係止板２の嵌合状態を解除するためには、シリンダー錠８の鍵穴８３に鍵８５を挿入し回転させることが必要である。【００１５】  ラッチ３は鉤片６ａ、６ｂと係止板７ａ、７ｂが完全に嵌合し、ガラス扉１３が内枠１２に対し完全に閉じた状態でないと施錠状態にならない。さらに、鍵８５はラッチ３とラッチ用係止板２が施錠状態でなければ、鍵穴８３へ抜き差しすることが出来ない。すなわちガラス扉１３が完全に閉まっていない状態では、ラッチ用係止板２とラッチ３が干渉するために施錠状態にならず、鍵穴８３から鍵８５を抜くことが出来ない。
ガラス扉１３を開放し、ラッチを施錠状態にして鍵穴８３から鍵８５を抜くことは可能だが、明らかにガラス扉１３が開いていることが目視で確認できるので、過失による不完全な施錠状態を防ぐことができる。施錠状態は、ラッチ３とラッチ用係止板２との嵌合状態にて保持される。そのため施錠状態は、外部から差込まれた針金等にて、レール５ａ、錠板４を動かすことにより解除される心配がない。
このようにガラス扉１３は内枠１２に対してロックされる。【００１６】  以下に、施錠装置１を開錠状態にする方法について説明する。
施錠状態にある施錠装置１の鍵穴８３に鍵８５を差込み、回動させることによってラッチ３がラッチ用係止板２との嵌合状態から開放され、開放可能状態となる。さらに鍵穴８３に差し込んだ鍵８５を回動させることにより錠板４が回動し、レール５ａを上下動させる。レール５ａに連結されている鉤片６ａ、６ｂが上下動し、係止板７ａ、７ｂから開放され、ガラス扉１３が内枠１２から開放される。【００１７】  以上のようにして施錠装置１が形成されている。
すなわち施錠装置１は、図２に示すように不正行為防止用の機構として、シリンダー錠８と一体化したラッチ３と、ガラス扉１３の内枠１２側に取付けられるラッチ係止板２とを有している。そしてシリンダー錠４により、ラッチ係止板２とラッチ３との嵌合状態を解除可能な状態と解除不能な状態とに切替える。【００１８】  したがってガラス扉１３を内枠１２に対して閉じることで、図２、図３に示すようにラッチ３がラッチ係止板２に嵌合される。そしてその嵌合状態がシリンダー錠８によって解除不能な状態にされることで、ガラス扉１３が内枠１２に対してロックされる。かくしてロック状態は、ラッチ３の軸部とラッチ係止板２との嵌合状態にて保持される。そのため施錠状態は、外部から差込まれた針金等にて、レール５ａ、錠板４を動かすことにより解除される心配がない。
またラッチ係止板２は、図３に示すようにガラス扉１３内側に取付けられる。そしてラッチ３はシリンダー錠８と一体化している。そのためラッチ３とラッチ係止板２は、鉤片６ａ、６ｂやレール５等を改良することなく取付けられ得る。そのため本形態に係る施錠装置は、従来のシリンダー錠をラッチ３と一体化したシリンダー錠８に交換し、ラッチ係止板２を取付ける程度の作業で、不正行為防止用の機構を容易に付加または追加することができる構成になっている。【００１９】  すなわち図４に示す従来一般的な施錠装置は、レール５ａと鉤片６ａ、６ｂを有している。そして内枠１２には、シリンダー錠８ａが取付けられており、シリンダー錠８ａの錠軸に錠板４が固定されている。しかし従来一般的な施錠装置は、不正行為防止用の機構を有していない構成になっていた。
そしてその施錠装置に対して不正行為防止用の機構を設ける際には、先ず、従来のシリンダー錠を取外し、シリンダー錠８を取付ける。次に、ガラス扉内側にラッチ用係止板２を取付ける（図２、図３参照）。
したがって本形態は、従来一般的な施錠装置に対して不正行為防止用の機構を容易に追加することができる構成になっている。また鍵を回す一つの動作にてこれら二つの機能が同時になされるために、操作性に優れた構成にもなっている。【００２０】  本考案の遊技機の施錠装置は、図５のようにラッチ部分はどちらの方向を向いていてもよい。また、図６のようにシリンダー錠裏側がラッチ形状になったシリンダー錠８２と、このラッチ形状及びシリンダー錠に嵌合するラッチ用係止板状のシリンダー錠８４とを有し、前記ガラス扉を前記内枠に対して閉じたときにシリンダー錠８２のラッチ形状とシリンダー錠８４のラッチ用係止板状とが嵌合し施錠する方法もある。
【考案の効果】
【００２１】  本考案の遊技機の施錠装置によれば、従来のようにガラス扉と内枠とをレールを利用して開閉する仕組みだけではなく、ラッチ部分と係止板による施錠装置が追加することで、ガラス扉と内枠はより強固に施錠される。ガラス扉と内枠は鍵以外では開放することができないため、ガラス扉の不正な開放を防ぐことができる。また、完全に施錠された状態か開放された状態以外では、ラッチ部分に付属したばねの力により鍵を抜き差しすることができないため、保守点検時の不完全な施錠状態を防ぐことができるようになる。
【図面の簡単な説明】
【００２２】
【図１】パチンコ遊技機の施錠装置の実施例の図である。
【図２】パチンコ遊技機の施錠装置の図である。
【図３】パチンコ遊技機の施錠装置の実施例の側面図である。
【図４】従来のパチンコ遊技機の施錠装置の側面図である。
【図５】パチンコ遊技機の施錠装置請求項１、２の図である。
【図６】パチンコ遊技機の施錠装置請求項３の実施例の図である。
【符号の説明】
【００２３】１      本考案の施錠装置
１ａ    施錠装置固定用ビス穴
１ｂ    施錠装置固定用ビス穴
２      ラッチ用係止板
３      ラッチ
４      錠板
５ａ    レール
５ｂ    レール
６ａ    鉤片
６ｂ    鉤片
７ａ    係止板
７ｂ    係止板
８      シリンダー錠
１０    パチンコ遊技機
１１    外枠
１２    内枠
１３    ガラス扉
１４ａ  鉤片
１４ｂ  鉤片
１５ａ  係止板
１５ｂ  係止板
２２    ラッチ３と嵌合する部分
８０    シリンダー錠の筒体
８２    ラッチ形状のシリンダー錠
８３    鍵穴
８４    ラッチ形状のシリンダー錠
【図１】
0003131366.tif 000003
【図２】
0003131366.tif 000004
【図３】
0003131366.tif 000005
【図４】
0003131366.tif 000006
【図５】
0003131366.tif 000007
【図６】
0003131366.tif 000008